(57)【要約】【課題】  濾過ユニットにおいてケーシング内に濾過モジュールを挿脱する際や、貯水槽等に直接的に濾過モジュールを設置する際にも、所定の位置に正確に該濾過モジュールを案内して円滑に配置することが可能な濾過装置を提供する。【解決手段】  貯水槽あるいは貯水池内に設置されて原水が内部に導入可能とされた有底筒状のケーシング２内に濾過モジュール３が収容されてなる濾過装置であって、ケーシング２の内部には上下方向に向けて延びるガイドレール８を、濾過モジュール３の外周部にはガイドレール８に接して転動可能とされるローラー９を備える。【選択図】        図３
2006175412.tif 000002
【特許請求の範囲】
【請求項１】
原水が導入される貯水槽あるいは貯水池内、または該貯水槽あるいは貯水池内に設置されて上記原水が内部に導入可能とされた有底筒状の上記ケーシング内に濾過モジュールが収容されてなる濾過装置であって、上記濾過モジュールの外周部と上記貯水槽あるいは貯水池または上記ケーシングの内部とのうち、一方には上下方向に向けて延びるガイドレールが、他方には上記ガイドレールに接して転動可能とされるローラーが備えられていることを特徴とする濾過装置。
【請求項２】
上記ローラーは、上記外周部と内部とのうちの他方から一方に向けて突出して上記ガイドレールに交差する方向に延びる支持体に取り付けられていることを特徴とする請求項１に記載の濾過装置。
【請求項３】
上記濾過モジュールは矩形の有底筒状をなす上記ケーシング内に収容され、このケーシングの互いに対向する一対の内壁面に上記ガイドレールが、これら一対の内壁面に対向する上記濾過モジュールの外周部には上記ローラーが配設されていることを特徴とする請求項１または請求項２に記載の濾過装置。
【請求項４】
上記ケーシングの他の一対の内壁面に対向する上記濾過モジュールの外周部には、これら他の一対の内壁面に接して転動可能とされる他のローラーが備えられていることを特徴とする請求項３に記載の濾過装置。
【発明の詳細な説明】
【技術分野】
【０００１】
本発明は、浄水場等の沈殿池のような貯水槽あるいは貯水池（以下、貯水槽等と称する。）内、またはかかる貯水槽等内に設置される有底筒状のケーシング内に濾過モジュールが収容されて、この貯水槽等内の原水または貯水槽等からケーシング内に導入された原水を濾過処理するための濾過装置に関するものである。
【背景技術】
【０００２】
この種の濾過装置としては、例えば特許文献１に、濾過槽内の上部に膜モジュールが配設されるとともに、濾過槽の底部には汚泥掻寄機が備えられた浸漬型の膜濾過装置が記載されている。すなわち、この特許文献１に記載された濾過装置においては、円筒形の濾過槽の上部中心に筒状の仕切が取り付けられて円柱状の区画とドーナツ状の区画とに分割され、円柱状の区画に原水が導入されてその下部から濾過槽内に流入するとともに、ドーナツ状の区画には中空糸膜を組み込んだ膜モジュールが配設され、またこの膜モジュールの下方には散気管が同心円状に複数配置されている。一方、濾過槽の底部には、この濾過槽の底面に近接して配設されたレーキとこのレーキが取り付けられた回転軸とを有する上記汚泥掻寄機が備えられており、レーキに取り付けられた多数の寄せ板によって汚泥が掻き寄せられるようになっている。
【特許文献１】特開平１０−２３０２６１号公報
【発明の開示】
【発明が解決しようとする課題】
【０００３】
ところが、この特許文献１記載の濾過装置にあっては、上記散気管から空気を吹き込んでエアスクラビングにより膜モジュールを洗浄する際に、この空気の吹き込みによって濾過槽内の原水が撹拌されることにより、濾過槽底部に堆積した汚泥が巻き上げられてしまうおそれがあった。しかるに、こうして巻き上げられた汚泥は、上記散気管から吹き込まれる空気によってさらに濾過槽の上部へと上昇することとなるため、この汚泥が膜モジュールから剥離した付着物とともに沈降するまでに濾過作業を再開すると、汚泥等が膜に付着し、濾過効率を損なう結果となる。また、膜モジュールを槽内に設置するには、長期の大がかりな工事が必要で高コストとなる。さらに、設置した膜を薬品（次亜塩等）で洗浄するには、槽内全体を薬品で満たすか、各膜モジュールを取り外して個別に洗浄するしか方法がなく、これらは多大な手間とコストが必要となる。
【０００４】
そこで、本発明の発明者は、このような問題を解決するため、先に特願２００３−３０７３１号において、原水が導入される貯水槽等内に浸漬されて設置される濾過ユニットであって、上記貯水槽等内の原水が導入可能とされた有底筒状のケーシング内に濾過モジュールが配設されるとともに、該ケーシング内には該濾過モジュールを洗浄する洗浄手段が備えられ、さらに該ケーシングには洗浄後のケーシング内の原水を排出する排出手段が備えられた濾過ユニットを提案している。従って、かかる濾過ユニットによれば、有底筒状のケーシング内に濾過モジュールと洗浄手段とが収容されるため、この洗浄手段が空気を散気するものであっても、その洗浄の際にはケーシング内の原水のみが撹拌されるだけとなり、貯水槽等の底部に堆積した汚泥が巻き上げられたりすることがない。
【０００５】
しかしながら、このような濾過ユニットにおいては、メンテナンスなどのために濾過モジュールをケーシングから引き上げて脱し、またメンテナンス後に濾過モジュールをメンテナンス後にケーシング内に挿入して収容する際には、濾過モジュールがケーシングに対して真っ直ぐ上下に挿脱されないと濾過モジュールやケーシングに損傷や変形が生じるおそれがあり、特にメンテナンス後の収容の際に濾過モジュールが傾いてケーシングに挿入されたりすると、折角メンテナンスを終えた濾過モジュールがケーシングの開口部に当たって破損し、再度メンテナンスをやり直さなければならなくなってしまったりするおそれがある。また、このような破損や損傷、変形に至らないまでも、濾過モジュールの挿脱が円滑に行われなければ、メンテナンスに要する総作業時間が長引いて当該濾過ユニットの稼働時間が短縮され、ひいては稼働効率の低下を招くこととなる。これは、例えば上記特許文献１において膜モジュールを薬液洗浄する際に濾過槽から取り外して洗浄する場合も同様である。
【０００６】
本発明は、このような背景の下になされたもので、このような濾過ユニットにおいてケーシング内に濾過モジュールを挿脱する際や、あるいは貯水槽等に直接的に濾過モジュールを設置する際にも、所定の位置に正確に該濾過モジュールを案内して円滑に配置することが可能な濾過装置を提供することを目的としている。
【課題を解決するための手段】
【０００７】
上記課題を解決して、このような目的を達成するために、本発明は、原水が導入される貯水槽等内、または該貯水槽等内に設置されて上記原水が内部に導入可能とされた有底筒状の上記ケーシング内に濾過モジュールが収容されてなる濾過装置であって、上記濾過モジュールの外周部と上記貯水槽等または上記ケーシングの内部とのうち、一方には上下方向に向けて延びるガイドレールが、他方には上記ガイドレールに接して転動可能とされるローラーが備えられていることを特徴とする。
【発明の効果】
【０００８】
従って、このように構成された濾過装置においては、濾過モジュールを貯水槽等内やケーシング内から取り出し、また収容する際には、上述のように濾過モジュールを収容する貯水槽等またはケーシングの内部と濾過モジュールの外周部とのうち一方に設けられたガイドレールに、他方に設けられたローラーが接して転動することにより、濾過モジュールはこのガイドレールに案内されるようにして挿脱されることとなるため、特に濾過モジュールを挿入する際に傾いたりすることなく真っ直ぐ挿入することができ、ケーシングの開口部等に当たって濾過モジュールが破損したりするのを防ぐことができる。そして、このようにローラーがガイドレール上を転動して濾過モジュールが案内されるので、メンテナンス等の際などに原水を含んで重量が大きくなった濾過モジュールを挿脱する際にも、案内するガイドレールへの摩擦を最小限に抑えてその損傷を防ぐことができ、さらには抵抗の少ない円滑な挿脱を図ることが可能となる。
【０００９】
ここで、上記ガイドレールとローラーとは、濾過モジュールの外周部と貯水槽等またはケーシングの内部とのうちの上記一方と他方とにそれぞれ直接的に取り付けられていてもよいが、このうち上記ローラーについては、これらの外周部と内部とのうちの上記他方からガイドレールが設けられる上記一方に向けて突出して該ガイドレールに交差する方向に延びる支持体に取り付けることにより、この支持体が突出する長さ分だけ濾過モジュールの外周部と貯水槽等やケーシングの内壁部との間に間隔をあけることができ、この間隔部分に、濾過モジュールによって濾過された濾過水を排出する濾過水管や該濾過モジュールの下方に設けられる散気管に空気を供給する給気管を通すことができる。一方、上記ガイドレールとしては、チャンネル材やアングル材、あるいは平板材、もしくは断面Ｈ型の条材など、いずれの形状でもよい。
【００１０】
また、上記特願２００３−３０７３１号の濾過ユニットのように濾過モジュールが矩形の有底筒状をなす上記ケーシング内に収容される場合には、このケーシングの互いに対向する一対の内壁面に上記ガイドレールを、これら一対の内壁面に対向する上記濾過モジュールの外周部には上記ローラーを配設することにより、濾過モジュールはこれら互いに対向するケーシングの内壁面に設けられたガイドレールによって両側から位置決めされて案内されることとなるので、特にケーシングへの挿入の際の傾き等をより確実に防止して安定した濾過モジュールの挿脱を図ることが可能となる。さらに、この場合には、上記ケーシングの他の一対の内壁面に対向する上記濾過モジュールの外周部に、これら他の一対の内壁面に接して転動可能とされる他のローラーを備えることにより、濾過モジュールはその周回りに四方から位置決めされるので、一層安定して濾過モジュールを案内してケーシングへの挿脱を図ることができる。
【発明を実施するための最良の形態】
【００１１】
図１から図５は本発明の第１の実施形態を示すものであって、上記特願２００３−３０７３１号のように濾過モジュールが有底筒状をなすケーシング内に収容されて濾過ユニット１が構成され、このような濾過ユニット１が浄水場の貯水槽等に設置されて、該貯水槽等内に保持された原水をケーシング内に導入して濾過する場合を示すものである。すなわち、この濾過ユニット１は、濾過すべき原水が導入可能とされた有底筒状のケーシング２内に濾過モジュール３が挿脱可能に収容されたものであり、このケーシング２内には濾過モジュール３を該ケーシング２内でエアスクラビングにより洗浄する洗浄手段４が備えられ、さらに該ケーシング２にはこの洗浄手段４による洗浄後のケーシング２内の原水を排出する排出手段７が備えられている。
【００１２】
ここで、本実施形態ではケーシング２は、ステンレス等の耐蝕性の高い金属材などにより、平面視に長方形の矩形状をなし、かつその高さがこの矩形の長・短辺の長さに対して大きくされた縦長の有底矩形筒状、すなわち矩形の筒の底部が閉塞された形状とされていて、この底部を下向きにしてその高さ方向を鉛直縦方向に向けるように、濾過すべき原水が導入されて保持される貯水槽等内に浸漬されて設置される。
【００１３】
このケーシング２の底部は、下方に向かうに従い断面が漸次小さくなる下向きに凸の凸形状とされ、特に本実施形態では凸曲面形状とされている。具体的には、図１に示すように、ケーシング２の高さ方向に延びる４つの側壁面のうち、互いに対向する一対の第１側壁面２Ｅ、２Ｅの下端部が該ケーシング２の高さ方向（上下方向）に延びるとともに、その下端縁が該第１側壁面２Ｅに対向する側面視において下方に凸とされた凸曲線状とされる一方、他の互いに対向する残りの一対の第２側壁面２Ｄ、２Ｄの下端部は、上記第１側壁面２Ｅの下端縁に沿うように、下方に向かうに従い漸次互いに接近させられた凸曲面状とされて、これらの第１、第２側壁面２Ｅ、２Ｄの上記下端部が、ケーシング２の底部を画成するようになっている。
【００１４】
なお、本実施形態では、ケーシング２が上記平面視になす長方形において、第１側壁面２Ｅの上端縁は短辺を画成し、第２側壁面２Ｄの上端縁は長辺を画成するようになっている。また、本実施形態の第１側壁面２Ｅ、２Ｅの下端縁は単一の円弧とされていて、特に本実施形態では半円弧とされており、従って第２側壁面２Ｄ、２Ｄの下端部は互いに滑らかに連なって半円筒状を呈することになる。なお、ケーシング２の下端にはドレン口が配設されていてもよい。ただし、ケーシング２の底部は本実施形態の凸曲面形状に限られるものではなく、例えば上記他の一対の第２側壁面２Ｄ、２Ｄを一定の傾斜角で下方に向かうに従い互いに接近する傾斜平面状としたり、上記一対の第１側壁面２Ｅ、２Ｅも下方に向かうに従い漸次互いに接近する凸曲面状あるいは傾斜平面状としたりして、このケーシング２の底部を全体に亙って凸曲面状としたり、あるいは角錐台形状や下向きに凸となる切妻屋根形状としたりしてもよい。
【００１５】
一方、ケーシング２の上部には、該ケーシング２の内部に原水を導入するための流入口２Ａが設けられており、この流入口２Ａには、該流入口２Ａを介しての原水の流通を制御する図示しない制御手段が備えられている。ここで、本実施形態では、流入口２Ａは、ケーシング２が平面視になす長方形の短辺に沿う上記一対の第１側壁面２Ｅ、２Ｅのうち、一方の第１側壁面２Ｅの上部におけるその幅方向中央部に、該壁面２Ｅを貫通するように突設された一つの管状部材の内周面により構成されている。このように流入口２Ａを一つとすることにより、流入口２Ａが配設された第１側壁面２Ｅの強度の低下を最小限に抑制できるようになっている。また、上記制御手段は、この管状部材の根元部分に設けられたバタフライ弁等の開閉バルブによって構成されており、この開閉バルブを図示されない駆動手段によって駆動して流入口２Ａを開放することにより、該流入口２Ａを介して原水がケーシング２内に導入可能とされ、また、流入口２Ａを閉鎖することによりケーシング２内が外部の原水と隔絶されて該流入口２Ａを介しての原水の流入およびケーシング２からの原水の流出が阻止され、すなわち原水の流通が制御されるようになされている。そして、上記流入口２Ａは、上記貯水槽等に保持される原水の水面部に開口する高さに設けられて該水面部に開口可能とされている。ただし、流入制御方法を限定するものではない。
【００１６】
さらに、上記ケーシング２の外周には、この流入口２Ａの周囲を取り囲むように仕切り板２Ｃが設けられている。本実施形態では、この仕切り板２Ｃは、流入口２Ａが配設された第１側壁面２Ｅの上部表面のうち、その幅方向における両端部からそれぞれ上記第２側壁面２Ｄ、２Ｄと平行に、かつ互いにも平行に突出するように延びる２枚の矩形状の板材と、これらの板材の突端の間に上記表面に平行に延びるやはり矩形状の板材とからなる平面視に「コ」字状のものであって、その上下は開放されたままとされている。そして、この仕切り板２Ｃは上記流入口２Ａとの間に間隔をあけ、かつ上記貯水槽等に保持される原水の水面部の高さに位置するように配設されており、従って原水は、この仕切り板２Ｃの下から該仕切り板２Ｃとケーシング２との間に入り込んで上記流入口２Ａからケーシング２内に導入されることとなる。これにより、上記水面部に浮いているゴミ等がそのままケーシング２内に導入されるのを防ぐことができるとともに、上記板材により流入口２Ａの周囲を限定的に取り囲むことによって、仕切り板２Ｃを設けたことによる濾過ユニット１の貯水槽等内における占有体積の増大が最小限に抑制されるようになっている。
【００１７】
一方、ケーシング２内に収容される濾過モジュール３は、例えば中空糸膜をスクリーン状に張ったエレメントや平膜状の分離膜を有するエレメントを多数積層したり、あるいは管状のセラミック膜エレメントを多数本束ねたりしてなる膜モジュール３Ｋを備え、複数のこのような膜モジュール３Ｋが枠体３Ｃによって支持されてケーシング２よりも一回り小さな外形直方体状にとりまとめられ、かつ上記エレメントも図示されないヘッダ等によりまとめられてモジュール化されている。ここで、本実施形態では、個々の膜モジュール３Ｋは概略横長の直方体状をなしており、同形同大のこのような膜モジュール３Ｋが４つ、それぞれの長手方向に延びる一対の側面を水平かつ該側面の長辺をケーシング２が平面視になす矩形の長辺（第２側壁面２Ｄの上端縁）と平行にし、また膜モジュール３Ｋ同士ではこれらの側面を対向させて上下に整列するように並列に積層された状態で枠体３Ｃに支持され、ケーシング２内に配設されている。
【００１８】
なお、こうして積層された複数の膜モジュール３Ｋは、そのうち最上端の膜モジュール３Ｋがケーシング２の上記流入口２Ａよりも下方に位置するようにケーシング２に収容される。また、上下に隣接する膜モジュール３Ｋ同士は、互いに密着させられていても、あるいは適当な間隔をあけるようにしてもよい。さらに上記ヘッダは、膜濾過水管３Ａを介して図示されない吸引ポンプに接続されており、濾過モジュール３によって原水から濾過された濾過水は、この吸引ポンプにより膜濾過水管３Ａを通して排出される。
【００１９】
さらに、上記洗浄手段４は、ケーシング２内に洗浄用流体として空気を散気して膜モジュール３Ｋ（濾過モジュール３）を洗浄する散気手段とされるとともに、本実施形態では、例えばケーシング２内の原水に活性炭を添加した際にこの活性炭を均一に分散するための撹拌手段を兼ねたものとされている。すなわち、この散気手段（撹拌手段および洗浄手段４）は、例えば多数の下向きに開口する空気孔を有して図１に示すように濾過モジュール３の下に配設される複数本の配管あるいは焼結管を備えた散気装置４Ａが、撹拌用流体供給管および洗浄用流体供給管としての空気管４Ｂを介して図示されないブロア等の空気供給源に接続された構成とされており、この空気供給源から供給された空気が空気管４Ｂを通して散気装置４Ａの上記配管に設けられた空気孔あるいは焼結管に形成される細かい気孔から噴出させられることにより、その上方のケーシング２内に保持された原水を撹拌し、また該散気装置４Ａの上方に位置する膜モジュール３Ｋを散気によるエアスクラビングによって洗浄するようになされている。
【００２０】
さらにまた、本実施形態では、ケーシング２内に上記流入口２Ａから下方に向けて下降するように延びる下降管６Ａが備えられていて、この下降管６Ａの下端開口部６Ｂは、撹拌手段および洗浄手段４としての上記散気手段の散気装置４Ａよりも下方に位置させられており、この下降管６Ａによって、ケーシング２内に導入された原水が濾過モジュール３に直接衝突するのを抑える濾過モジュール保護手段６が構成されている。ここで、上記下降管６Ａは、断面が偏平した「コ」字状をなすアングル型の条材が、上記流入口２Ａのケーシング２内側開口部から上記散気装置４Ａよりも下方のケーシング２底部直上に亙って、この断面の開口部を、流入口２Ａが配設されたケーシング２の上記第１側壁面２Ｅの裏面のうち、流入口２Ａと対応する部分(幅方向中央部)に向けて接合されることにより形成されたものであり、その上端部は流入口２Ａが該下降管６Ａ内に連通するようにして閉じられている。
【００２１】
なお、下降管６Ａは上記形態に限られるものではなく、例えば上記条材を平面視に流入口２Ａ側に開口する断面半円形状としたり、またケーシング２の内側に、上記第１側壁面２Ｅの裏面と平行でかつ間隔をあけるように別の壁面を新たに配設して、ケーシング２の内部空間を仕切ることによって、上記壁面と上記裏面との間の隙間を下降管６Ａとしたりするようにしてもよく、この断面形状は限定されるものではない。また、円管状や角管状等のパイプを流入口２Ａからケーシング２内の下方に延びるように配設して下降管６Ａとしてもよい。さらに、濾過モジュール保護手段６としては、このような下降管６Ａに代えて、例えばケーシング２の内部において流入口２Ａと対向し、かつその周囲が解放された板状体（じゃま板）を設けて、流入口２Ａから流入した原水がこの板状体と衝突して濾過モジュール３には直接降りかからないようにしたり、あるいは流入口２Ａのケーシング２内側に目の細かい網状体を設け、原水の流入の勢いを弱めて衝撃を緩和したりするようにしてもよい。
【００２２】
さらに、本実施形態における排出手段７においては、一端がケーシング２の底部に開口するとともに、他端がケーシング２の外部に配設される図示されない吸引ポンプに接続された排出管７Ａが備えられている。この排出管７Ａは、吸引ポンプ側から濾過ユニット１のケーシング２直上に延びて該ケーシング２上部の開口部から上記高さ方向にケーシング２内に通されて、その一端が該ケーシング２底部に開口するように配設されており、しかも、この排出管７Ａの一端は、上述のように凸曲面状とされて下向きに凸とされたケーシング２内底部の下端近傍に下向きに開口するように配設されている。なお、本実施形態では濾過モジュール３の上記膜濾過水管３Ａやこの散気手段（撹拌手段および洗浄手段４）の上記空気管４Ｂも、上記排出管７Ａと同様に上部開口部からケーシング２内を通して濾過モジュール３のヘッダや散気装置４Ａに接続されている。また、ケーシング２の底部にドレン口を設けた場合には、このドレン口にケーシング２の外部から例えば可撓性のあるフレキシブル管によりなるドレン排出管を接続し、このドレン排出管をケーシング２の外部において、ケーシング２の上記高さ方向に延びてその一端部が貯水槽等の外部に配設される図示しないポンプに接続するようにしてもよい。なお、このドレン排出管はフレキシブル管に限られるものではなく例えば鋼管等の剛体管であってもよい。
【００２３】
また、ケーシング２の側壁面には、その上端部表面にそれぞれ、それらの幅方向に延在する支持部材２Ｆが、該側壁面の幅方向両端部から突出するように配設されている。この支持部材２Ｆは、本実施形態では断面視矩形の桿状とされ、濾過モジュール３がケーシング２内に配設された構成において、複数の膜モジュール３Ｋのうちその最上端の膜モジュール３Ｋ、流入口２Ａ、および仕切り板２Ｃの配設位置よりも上方に位置するように、上記一対の第２側壁面２Ｄ、２Ｄにそれぞれその上端縁に沿って延びるように配設されている。ここで、この支持部材２Ｆは例えばステンレス等の耐蝕性が高くかつ曲げ剛性の高い金属材などにより形成されており、ケーシング２や濾過モジュール３を含む濾過ユニット１の荷重を実質的に撓み無く支持できるようにされ、すなわちケーシング２の底部を下向きにして上記高さ方向を鉛直縦方向に向けた状態で、支持部材２Ｆの下面を、内部に原水が導入された貯水槽等の上側開口端面等に支持させて濾過ユニット１を原水に浸漬させたときに、支持部材２Ｆが実質的に撓まないようになっている。
【００２４】
そして、このような濾過ユニット１において、上記濾過モジュール３の外周部とケーシング２の内部とのうち、一方には上下方向に向けて延びるガイドレール８が、他方にはこのガイドレール８に沿って転動しつつ走行可能とされるローラー９が備えられており、特に本実施形態では図２ないし図５に示すように、矩形の有底筒状をなすケーシング２の互いに対向する一対の内壁面に上記ガイドレール８が、またこれら一対の内壁面に対向する濾過モジュール３の外周部にローラー９が配設されている。さらに、このケーシング２の他の一対の内壁面には他のガイドレール１０がやはり上下方向に向けて延びるように配設されるとともに、この他の一対の内壁面に対向する濾過モジュール３の外周部には、これら他の一対の内壁面に接して走行可能とされる他のローラー１１が備えられている。
【００２５】
ここで、ガイドレール８，１０はケーシングと同様にステンレス等の耐食性を有する金属材製であり、このうち上記ガイドレール８は図４に示すように、本実施形態では平面視にケーシング２がなす長方形の短辺から高さ方向に延びる上記第１側壁面２Ｅ、２Ｅのケーシング２における一対の内壁面にそれぞれ２つずつ、上記短辺に沿う方向（図４における上下方向）に一対の第１側壁面２Ｅ、２Ｅ同士で互いに同じ位置に、かつ、このうち一方の側壁面２Ｅに備えられた上記流入口２Ａおよび下降管６Ａ（ただし、いずれも図４では図示が略されている。）を間にして各々一対の第２側壁面２Ｄ、２Ｄ側に寄った位置に配設されている。また、上記他のガイドレール１０は、平面視にケーシング２がなす長方形の長辺から高さ方向に延びる上記第２側壁面２Ｄ、２Ｄの内壁面に、やはりそれぞれ２つずつ該長辺に沿う方向に互いに同じ位置に配設されている。ただし、その位置は、同一壁面ではモジュールの角に近い位置に設置するのがよい。また、本実施形態では各壁面の同一平面には２つずつの設置であるが、その個数はモジュールの設置が安定するものなら良く、その個数を限定するものでは無い。
【００２６】
また、個々のガイドレール８，１０は、本実施形態では図２から図４に示すように平板状とされていて、各側壁面２Ｅ、２Ｄの内壁面に平行に配設されている。ただし、これらのガイドレール８，１０の少なくとも一方は、例えば図５（ａ）に示すように断面がケーシング２の内側に開口するようにされた「コ」字状のチャンネル材でもでよく、あるいは図５（ｂ）に示すように断面Ｌ字状をなすアングル材であって、各第１、第２側壁面２Ｅ、２Ｄに設けられるもの同士で、上記Ｌ字の１の辺を側壁面２Ｅ、２Ｄに沿わせるとともに他の１の辺を互いに反対側に位置させてケーシング２内に突出させ、２つのガイドレール８，８またはガイドレール１０，１０によりケーシング２内側に開口する「コ」字形状が形成されるようにしてもよい。さらに、ガイドレール８，１０は、Ｈ鋼のような断面Ｈ字状の条材でもよい。そして、このようなガイドレール８，１０は、上記底部を除いてケーシング２の上下方向全体に亙り連続して延びるように、上記第１、第２側壁面２Ｅ、２Ｄの内壁面に溶接等により接合されて取り付けられている。
【００２７】
一方、濾過モジュール３において上記膜モジュール３Ｋを支持する枠体３Ｃには、その上記第２側壁面２Ｄ側を向く両側面３Ｄに、図２および図３に示すように水平かつこの第２側壁面２Ｄと平行に延びる角形断面の桿状の支持体１２が、各側面３Ｄの上下方向に枠体３Ｃの上部と中央部および下端部との３箇所ずつに略等間隔に取り付けられており、これらの支持体１２は、ケーシング２の上記第１側壁面２Ｅ、２Ｅの内壁面に備えられたガイドレール８に向けて該ガイドレール８と直交する方向に延びるように、その両端部が枠体３Ｃの第１側壁面２Ｅ側を向く側面３Ｊから突出させられている。そして、上記ローラー９は、こうして側面３Ｊから突出した各支持体１２の両端に、水平かつ第１側壁面２Ｅと平行な回転軸線回りに回転自在に支持されて取り付けられており、図４に示すようにこれら両端のローラー９が、両第１側壁面２Ｅ、２Ｅのガイドレール８にそれぞれ接して該ガイドレール８上を転動しつつ走行可能とされている。
【００２８】
従って、こうして支持体１２が突出させられた分だけ、濾過モジュール３の枠体３Ｃにおける上記側面３Ｊとケーシング２の上記第１側壁面２Ｅの内壁面との間には図４に示されるような間隙部分Ｋが形成されることとなり、上記一方の第１側壁面２Ｅ側にあってはこの間隙部分Ｋに図示を略した上記流入口２Ａおよび下降管６Ａが位置させられるとともに、濾過モジュール３から延びる膜濾過水管３Ａや洗浄手段４の空気管４Ｂ、および排出手段７のケーシング２内を通される排出管７Ａも、これらの間隙部分Ｋを通してケーシング２内に挿通させられる。
【００２９】
さらに、上記他のローラー１１は、本実施形態では枠体３Ｃの上記側面３Ｄ上において各支持体１２ごとに間隔をあけて２つずつ、水平かつ上記第２側壁面２Ｄに平行な中心軸線回りに回転自在に取り付けられており、上述のようにローラー９がガイドレール８に接した状態で、図４に示すように両側面３Ｄ側の他のローラー１１が、ケーシング２の上記第２側壁面２Ｄ、２Ｄの両内壁面に配設された他のガイドレール１０にそれぞれ接して該ガイドレール１０上を転動しつつ走行可能とされている。なお、これらのガイドレール８，１０が、図５（ａ）に示したように断面「コ」字状であるときは、ローラー９，１１はこの「コ」字内に収容され、図５（ｂ）に示したように断面Ｌ字状で各側壁面２Ｅ、２Ｄに設けられるもの同士で「コ」字形状をなしているときには、ローラー９，１１はＬ字の上記１の辺部分に接してこの「コ」字形状内に収容される。さらに、図２ないし図４のようにガイドレール８，１０が平板状のときには、ローラ９，１１はそのケーシング２内側を向く面に接するだけとなる。
【００３０】
このように構成された本実施形態の濾過装置（濾過ユニット１）によれば、濾過モジュール３における膜モジュール３Ｋのメンテナンスの際などに濾過モジュール３を枠体３Ｃごとケーシング２内から取り出し、またメンテナンス終了後に該濾過モジュール３をケーシング２内に収容するときには、上述のようにケーシング２の第１、第２側壁面２Ｅ、２Ｄの内壁面（濾過モジュールの外周部とケーシングの内部とのうちの一方）に設けられたガイドレール８、１０を、濾過モジュール３の枠体３Ｃ（濾過モジュールの外周部とケーシングの内部とのうちの他方）に設けられたローラー９、１１が転動しつつ走行することにより、濾過モジュール３がこれらガイドレール８、１０の延びる上下方向に案内されながら真っ直ぐにケーシング２に対して挿脱可能となる。このため、特にメンテナンス後の濾過モジュール３をケーシング２内に挿入して収容するときに、該濾過モジュール３が傾いてケーシング２の開口部に接触したりすることにより膜モジュール３Ｋが破損したりするようなことがなく、折角メンテナンスが終了した濾過モジュール３を再び取り出して点検・修理しなければならなくなるような事態が生じるのを防止することができる。
【００３１】
また、濾過モジュール３をケーシング２から引き上げて取り出す際にも、ローラー９、１１がガイドレール８、１０を転動しながら濾過モジュール３が引き上げられるため、ガイドレール８、１０との摩擦が少なく、たとえ原水を含んだ重量の大きい濾過モジュール３でも円滑に引き上げて取り出すことが可能となる。さらに、このようにガイドレール８、１０との摩擦が抑えられるために、上記構成の濾過装置によれば、濾過モジュール３のケーシング２からの挿脱が繰り返されたとしても、摩耗によってガイドレール８、１０が損耗したりすることが少なく、従って長期に亙って安定した濾過作業を図ることが可能となる。また、たとえこのガイドレール８、１０が損傷したとしても、濾過作業自体はそのまま続行することが可能であり、濾過作業効率が損なわれるのを防ぐこともできる。
【００３２】
さらに、本実施形態における上記ローラー９は、濾過モジュール３の枠体３Ｃからケーシング２の第１側壁面２Ｅの内壁面に向けて突出してこの内壁面に設けられた上下方向に延びるガイドレール８に交差する方向に延びる支持体１２の先端に取り付けられている。従って、上述のようにこのケーシング２の第１側壁面２Ｅの内壁面とこれに対向する濾過モジュール３の枠体３Ｃの側面３Ｊとの間には、この支持体１２が突出する分だけの間隙が画成されることとなり、本実施形態ではケーシング２内に上部から通される上記膜濾過水管３Ａや空気管４Ｂ、排出管７Ａ、あるいはケーシング２に設けられる下降管６Ａをこの間隙部分に収容することが可能となるので、徒にケーシング２の外形を大きくしたり膜モジュール３Ｋの占有体積を小さくしたりすることがなく、スペースの有効利用を図ることができる。
【００３３】
また、上述のように濾過モジュール３が矩形の有底筒状をなすケーシング２内に収容される場合に、本実施形態ではこのケーシング２の互いに対向する第１側壁面２Ｅ、２Ｅの一対の内壁面にガイドレール８が延設されるとともに、濾過モジュール３の枠体３Ｃにはこれらのガイドレール８を走行可能なローラー９が両内壁面に対向する枠体３Ｃの側面３Ｊ、３Ｊ側に備えられているので、濾過モジュール３を上記一対の内壁面が対向する方向（図５における左右方向）に両側から位置決めして案内することができる。このため、特に濾過モジュール３をケーシング２内に挿入する際の位置ずれや傾きを確実に防ぐことが可能となり、ケーシング２内の所定の位置に正確に濾過モジュール３を配置することができる。
【００３４】
さらに、図５（ａ）に示したようにガイドレール８が断面「コ」字状でローラー９がこの「コ」字内に収容されている場合や、図５（ｂ）に示したように各第１側壁面２Ｅに備えられた一対のガイドレール８が断面Ｌ字状とされていて、その１の辺の部分同士を互いに対向させ、これらの１辺部分の間に該ガイドレール８に接する一対のローラー９が収容されている場合には、上記一対の内壁面が対向する方向に垂直な方向（図５における上下方向）への位置決めもこれらガイドレール８とローラー９とによって可能となる。
【００３５】
しかも、本実施形態では、ケーシング２の他の一対の内壁面となる上記第２側壁面２Ｄ、２Ｄに対向する濾過モジュール３の外周部（枠体３Ｃの側面３Ｄ、３Ｄ）に他のローラー１１が備えられており、この他のローラー１１が上記第２側壁面２Ｄの内壁面に延設された他のガイドレール１０に沿って転動しつつ濾過モジュール３が挿脱されることにより、この他の一対の内壁面が対向する方向、すなわち上記一対の内壁面が対向する方向に垂直な方向にも濾過モジュール３を位置決めすることができ、従って上記平面視に濾過モジュール３をいずれの方向にも確実に位置決めして案内することが可能となる。
【００３６】
このため、図２ないし図４に示したようにガイドレール８、１０が平板状であったり、あるいは図５（ａ）、（ｂ）に示した場合において上記ローラー９、１１の回転軸線方向の側部とガイドレール８、１０との間に僅かな隙間があけられていたりしても、濾過モジュール３を確実に所定の位置に配置することができるので、このローラー９，１１の側部がガイドレール８、１０と摺接することによる損傷も防ぐことが可能となる。また、これにより濾過モジュール３はローラー９、１１によって四方から支持された状態でケーシング２内に収容されるので、濾過作業中の膜モジュール３Ｋの安定化を図ることもできるという利点も得られる。
【００３７】
なお、本実施形態では、このようにケーシング２側にガイドレール８、１０を、濾過モジュール３側にローラー９、１１を設けているが、これとは逆に濾過モジュール３の外周部にガイドレール８、１０を上下方向に延びるように設けるとともに、このガイドレール８、１０が設けられた外周部に対向するケーシング２の内部には該ガイドレール８、１０に接して転動可能なローラー９、１１を備えるようにしてもよい。ただし、このような場合には、特にケーシング２内に濾過モジュール３を収容するときに、上下方向に間隔をあけたケーシング２内のローラー９、１１にガイドレール８、１０が接するように位置を合わせながら挿入してゆかなければならず、ケーシング２内に原水が保持されたままでは作業が容易ではないのに対し、本実施形態では、ケーシング２内におけるガイドレール８、１０の上端部にローラー９、１１の位置を順に合わせながら濾過モジュール３を下降させて挿入すればよいので、収容作業を容易かつ短時間で終了させることができる。
【００３８】
さらに、例えばケーシング２の補強のために設けられるリブ等が該ケーシング２の外周に設けられていたりして、ケーシング２の内壁面が凹凸のないフラットな平坦面状である場合などには、上述のようなケーシング２内に凸となるようなガイドレール８、１０を設けずに、図６に示すようにローラー９，１１が直接このケーシング２の内壁面に接して転動するようにして、このケーシング２の内壁面そのものがガイドレールを構成するようにしてもよい。さらにまた、このケーシング２の内壁面に上下方向に延びる凹溝を形成してローラー９，１１を収容することにより、この凹溝をガイドレールとしてもよい。また、図５（ａ）、（ｂ）に示したようにガイドレール８，１０が断面「コ」字状やＬ字状をなしていて、第１、第２側壁面２Ｅ、２Ｄの内壁面の一方に設けられたものだけで濾過モジュール３のケーシング２内での位置決めが可能であれば、他方にはガイドレールを設けなくてもよく、また濾過モジュール３においても、この第１、第２側壁面２Ｅ、２Ｄの内壁面の他方の側にはローラー８，１０を設けなくてもよい。
【００３９】
一方、上記第１の実施形態では、貯水槽等に浸漬されて設置され、この貯水槽等内に保持された原水が導入されるケーシング２内に濾過モジュール３を収容して濾過作業を行う濾過ユニット１に本発明を適用した場合について説明したが、例えば図７および図８に示す本発明の第２の実施形態のように、このようなケーシング２を備えることなく、貯水槽２１等に導入されて保持された原水中に直接的に濾過モジュール３を浸漬して濾過を行う濾過装置に本発明を適用することも可能である。なお、これら図６および図７においては、図１ないし図５に示した第１の実施形態と共通する部分に同一の符号を配して説明を省略してある。
【００４０】
すなわち、この第２の実施形態においてガイドレール８，１０は、貯水槽２１の内壁面から間隔をあけて平面視に図４に示したような配置を採るように、貯水槽２１底部に立設されて上下方向に延びており、本実施形態ではこのようなガイドレール８，１０が複数組（図６および図７では各組ごとにガイドレール８、１０が各４つずつの２組）、貯水槽２１に設けられている。一方、濾過モジュール３は第１の実施形態で説明したものと同様の構成を採るものであり、このような濾過モジュール３が各組ごとにガイドレール８，１０によって画成される平面視長方形の内側に収容されて、貯水槽２１内に保持される原水中に浸漬され、該原水を濾過する。従って、本実施形態では濾過モジュール３も図７に示すように１つの貯水槽２１内に複数（２つ）設置される。
【００４１】
このような第２の実施形態の濾過装置においても、貯水槽２１内の所定の位置に正確に濾過モジュール３を案内して円滑に配置することが可能となり、またメンテナンスや薬液洗浄の際に濾過モジュール３を貯水槽２１内から挿脱する場合でも、該濾過モジュール３等の破損が生じたりするのを防ぐことができる。しかも、こうして設置された濾過モジュール３は、ガイドレール８，１０によってその貯水槽２１内での位置が拘束されて位置決めされるので、隣接する濾過モジュール３同士の間隔を適正に維持して効率的な濾過を行うことも可能となる。
【００４２】
なお、本実施形態ではガイドレール８、１０を貯水槽２１の底部に立設してるが、例えば貯水槽２１の内壁面に上下方向に延びるようにガイドレール８、１０を配設したり、あるいは上方から吊下して支持したりしてもよい。また、隣接する濾過モジュール３同士の間では１つのガイドレールを共有して、その表裏面を隣接する濾過モジュール３のローラーが走行するようにしてもよい。
【図面の簡単な説明】
【００４３】
【図１】本発明の濾過装置の第１の実施形態である濾過ユニット１を示す一部破断斜視透視図である（ただし、ガイドレール８、１０、ローラー９、１１、および支持材１２は図示が略されている。）。
【図２】図１に示す濾過ユニット１において、濾過モジュール３がケーシング２から取り出されて脱した状態を示す図である（ただし、流入口２Ａ、仕切り板２Ｃ、支持部材２Ｆ、濾過水管３Ａ、洗浄手段４の空気管４Ｂ、濾過モジュール保護手段６、および排出手段７は図示が略されている。）。
【図３】図２に示す濾過ユニット１において、濾過モジュール３がケーシング２内に挿入されて収容された状態を示す図である。
【図４】図３に示す濾過ユニットの平面図である。
【図５】ガイドレール８，１０の変形例を示す平面図である。
【図６】図３の状態にてガイドレールを略した図である。
【図７】本発明の第２の実施形態において、濾過モジュール３が貯水槽２１から取り出されて脱した状態を示す図である（ただし、濾過モジュール３の濾過水管３Ａ、洗浄手段４の空気管４Ｂ等は図示が略されている。）。
【図８】図７に示す実施形態において、濾過モジュール３が貯水槽２１内に挿入されて収容された状態を示す図である。
【符号の説明】
【００４４】
１  濾過ユニット
２  ケーシング
３  濾過モジュール
４  洗浄手段
６  濾過モジュール保護手段
７  排出手段
８、１０  ガイドレール
９  ローラー
１１  他のローラー
１２  支持体
２１  貯水槽
【図１】
2006175412.tif 000003
【図２】
2006175412.tif 000004
【図３】
2006175412.tif 000005
【図４】
2006175412.tif 000006
【図５】
2006175412.tif 000007
【図６】
2006175412.tif 000008
【図７】
2006175412.tif 000009
【図８】
2006175412.tif 000010